(57)【要約】      （修正有）【課題】表示装置の有する視覚的な効果を高める。【解決手段】表示装置は、少なくとも第１方向である前方を向く透光領域である開口部１０１１を有する筐体１００と、筐体１００の内部に配置され、開口部１０１１に対向する透光性を有する板状部材である表示体２００と、表示体２００に画像を表示させる画像表示部と、を備える。筐体１００は、開口部１０１１と表示体２００との間の空間に、前方側から見て表示体２００を両側から挟む第１領域である傾斜領域１０１２および第２領域である傾斜領域１０１３を有する。【選択図】図４
2020118815.tif 000002
【特許請求の範囲】
【請求項１】
少なくとも第１方向を向く透光領域を有する筐体と、
前記筐体の内部に配置され、前記透光領域に対向する透光性を有する板状部材と、
前記板状部材に画像を表示させる画像表示部と、を備え、
前記筐体は、前記透光領域と前記板状部材との間の空間に、前記第１方向側から見て前記板状部材を両側から挟む第１領域および第２領域を有する表示装置。
【請求項２】
前記第１領域および前記第２領域は、前記第１方向に向かって互いに離れる方向に傾斜する
請求項１に記載の表示装置。
【請求項３】
前記筐体は、前記第１方向と反対の第２方向側において前記板状部材と対向する第３領域を有する
請求項１または２に記載の表示装置。
【請求項４】
前記第３領域は、前記第１領域および前記第２領域とは色または模様が異なる
請求項３に記載の表示装置。
【請求項５】
前記筐体は、前記第１領域と前記第２領域との間に第４領域を有し、
前記第４領域は、前記第１方向に向かって、前記第１方向側から見て前記板状部材から離れる第３方向に傾斜する
請求項１から４のいずれか１項に記載の表示装置。
【請求項６】
前記筐体は、前記板状部材が配置される台座を内部に有し、
前記台座の上面は、前記板状部材よりも前記第１方向側の領域と、前記第２方向側の領域との色または模様が異なる
請求項１から５のいずれか１項に記載の表示装置。
【請求項７】
前記筐体は、第１面と前記第１面に対向する第２面とを有し、前記第１面側に板状部材が配置される台座を内部に有し、
前記台座は、前記第１面と前記第２面とを通じさせる透光領域を含み、
前記透光領域に光を照射するための発光体を有する
請求項１から６のいずれか１項に記載の表示装置。
【請求項８】
前記第２面に対向する導光板を有し、
前記発光体は、前記導光板に光を入射する
請求項７に記載の表示装置。
【請求項９】
前記板状部材は、入力された信号に応じて画像を表示する表示体であり、
前記画像表示部は、前記表示体に前記信号を供給する
請求項１から８のいずれか１項に記載の表示装置。
【請求項１０】
前記表示体に対し、前記第１方向と反対の第２方向側から光を照射する第１発光部を有する請求項９に記載の表示装置。
【請求項１１】
前記第１発光部は、前記表示体の少なくともいずれかに沿って設けられた複数の発光体を含み、
前記複数の発光体は、前記第２方向に向かって発光する
請求項１０に記載の表示装置。
【請求項１２】
前記表示体に対し、前記第１方向側から光を照射する第２発光部を有し、
前記第１発光部は、前記第２発光部よりも高い輝度で発光する
請求項１０または１１に記載の表示装置。
【請求項１３】
前記画像表示部は、前記筐体の前記表示体の下方の空間に配置される
請求項９から１２のいずれか１項に記載の表示装置。
【請求項１４】
前記筐体は、円筒形状であり、
前記透過領域は、開口部であり、
前記開口部に配置された透光部材を有する
請求項１から１３のいずれか１項に記載の表示装置。
【請求項１５】
前記筐体は、前記板状部材よりも前記第１方向側または前記第２方向側に開閉可能な扉を有する
請求項１から１４のいずれか１項に記載の表示装置。
【発明の詳細な説明】
【技術分野】
【０００１】
本発明は、表示装置等に関する。
【背景技術】
【０００２】
キャラクタコンテンツを表示する表示装置として種々の装置がある。特許文献１は、キャラクタを表示させて運転支援を行うモニター型の電子機器を開示している。
【先行技術文献】
【特許文献】
【０００３】
【特許文献１】特開２０１８−０２４４２４号公報
【発明の概要】
【発明が解決しようとする課題】
【０００４】
通常の表示装置は、画像の表示によって様々な視覚的な効果を表現する。これに対し、本発明の目的の一つは、表示装置の有する視覚的な効果を高めることである。
【０００５】
本願の発明の目的はこれに限定されず、本明細書および図面等に開示される構成の部分から奏する効果を得ることを目的とする構成についても分割出願・補正等により権利取得する意思を有する。例えば本明細書において「〜できる」と記載した箇所を「〜が課題である」と読み替えた課題が本明細書には開示されている。課題はそれぞれ独立したものとして記載しているものであり、各々の課題を解決するための構成についても単独で分割出願・補正等により権利取得する意思を有する。課題が明細書の記載から黙示的に把握されるものであっても、本出願人は本明細書に記載の構成の一部を補正または分割出願にて特許請求の範囲とする意思を有する。またこれら独立の課題を組み合わせた課題を解決する構成についても開示しているものであり、権利取得する意思を有する。
【課題を解決するための手段】
【０００６】
（１）少なくとも第１方向を向く透光領域を有する筐体と、前記筐体の内部に配置され、前記透光領域に対向する透光性を有する板状部材と、前記板状部材に画像を表示させる画像表示部と、を備え、前記筐体は、前記透光領域と前記板状部材との間の空間に、前記第１方向側から見て前記板状部材を両側から挟む第１領域および第２領域を有する表示装置が提供されるとよい。
【０００７】
このようにすれば、板状部材に表示される画像と、透光領域と板状部材との間の空間に存在し、第１方向側から見たときに板状部材を両側から挟む第１領域および第２領域とが相まって、ユーザに画像の立体感を与えることができ、表示装置の有する視覚的な効果を高めることができる。
【０００８】
（２）前記第１領域および前記第２領域は、前記第１方向に向かって互いに離れる方向に傾斜する表示装置とするとよい。
【０００９】
このようにすれば、画像と、第１方向に向かって互いに離れる方向に傾斜する第１領域と第２領域とが相まって、ユーザに画像の立体感を与えることができる。
【００１０】
（３）前記筐体は、前記第１方向と反対の第２方向側において前記板状部材と対向する第３領域を有する表示装置とするとよい。
【００１１】
このようにすれば、板状部材に表示された画像と、板状部材に対して第１方向側に存在する第１領域および第２領域と、板状部材に対して第２方向側に存在する第３領域とが相まって、ユーザに画像の立体感を与えることができる。
【００１２】
（４）前記第３領域は、前記第１領域および前記第２領域とは色または模様が異なる表示装置とするとよい。
【００１３】
板状部材に対して第１方向側に存在する第１領域および第２領域と、板状部材に対して第２方向側に存在する第３領域との色また模様の差異により、より画像の立体感を高めることができる。
【００１４】
（５）前記筐体は、前記第１領域と前記第２領域との間に第４領域を有し、前記第４領域は、前記第１方向に向かって、前記第１方向側から見て前記板状部材から離れる第３方向に傾斜する表示装置とするとよい。
【００１５】
このようにすれば、ユーザの目線が第３方向側に傾いている場合であっても、ユーザに画像を視認させやすくすることができる。
【００１６】
（６）前記筐体は、前記板状部材が配置される台座を内部に有し、前記台座の上面は、前記板状部材よりも前記第１方向側の領域と、前記第２方向側の領域との色または模様が異なる表示装置とするとよい。
【００１７】
このようにすれば、台座における第１方向側の領域と第２方向側の領域との色また模様の差異により、より画像の立体感を高めることができる。
【００１８】
（７）前記筐体は、第１面と前記第１面に対向する第２面とを有し、前記第１面側に板状部材が配置される台座を内部に有し、前記台座は、前記第１面と前記第２面とを通じさせる透光領域を含み、前記透光領域に光を照射するための発光体を有する表示装置とするとよい。
【００１９】
このようにすれば、台座を発光させることによる視覚的な効果をユーザに与えることができる。
【００２０】
（８）前記第２面に対向する導光板を有し、前記発光体は、前記導光板に光を入射する
表示装置とするとよい。
【００２１】
このようにすれば、台座に設けられた透過領域を、より少ない数の発光体により発光させることができる。
【００２２】
（９）前記板状部材は、入力された信号に応じて画像を表示する表示体であり、前記画像表示部は、前記表示体に前記信号を供給する表示装置とするとよい。
【００２３】
このようにすれば、透光性を有する板状の表示体に表示される画像と、透光領域と板状部材との間の空間に存在し、第１方向側から見たときに板状部材を両側から挟む第１領域および第２領域とが相まって、ユーザに画像の立体感を与えることができ、表示装置の有する視覚的な効果を高めることができる。
【００２４】
（１０）前記表示体に対し、前記第１方向と反対の第２方向側から光を照射する第１発光部を有する表示装置とするとよい。
【００２５】
このようにすれば、ユーザが視認可能な画像を表示するために、表示装置の周辺の明るさの影響を受けにくくすることができる。
【００２６】
（１１）前記第１発光部は、前記表示体の少なくともいずれかの辺に沿って設けられた複数の発光体を含み、前記複数の発光体は、前記第２方向に向かって発光する表示装置とするとよい。
【００２７】
このようにすれば、表示体の前後の空間に光を照らすことにより、ユーザに明るい空間内に画像が配置されているという視覚的な効果を与えることができる。
【００２８】
（１２）前記表示体に対し、前記第１方向側から光を照射する第２発光部を有し、前記第１発光部は、前記第２発光部よりも高い輝度で発光する表示装置とするとよい。
【００２９】
このようにすれば、第２発光部の輝度を相対的に低くした場合でも、ユーザに明るい空間内に画像が配置されているような視覚的な効果を与えることができる。
【００３０】
（１３）前記画像表示部は、前記筐体の前記表示体の下方の第１空間に配置される表示装置とするとよい。
【００３１】
このようにすれば、表示体よりも上方の空間を下方の空間よりも小サイズ化しやすくなり、表示装置の姿勢の安定感が高くなる。
【００３２】
（１４）前記筐体は、円筒形状であり、前記透過領域は、開口部であり、前記開口部に配置された透光部材を有する表示装置とするとよい。
【００３３】
このようにすれば、意匠性に優れた円筒形状の表示装置が提供される。
【００３４】
（１５）前記筐体は、前記板状部材よりも前記第１方向側または前記第２方向側に開閉可能な扉を有する表示装置とするとよい。
【００３５】
このようにすれば、筐体の内部に物を配置することができるため、その物と相まった視覚的な効果を得ることができる。
【００３６】
上述した（１）から（１５）に示した発明は、任意に組み合わせることができる。例えば、（１）に示した発明の全てまたは一部の構成に、（２）以降の少なくとも１つの発明の少なくとも一部の構成を加える構成とするとよい。特に、（１）に示した発明に、（２）以降の少なくとも１つの発明の少なくとも一部の構成を加えた発明とするとよい。また、（１）から（１５）に示した発明から任意の構成を抽出し、抽出された構成を組み合わせてもよい。本願の出願人は、これらの構成を含む発明について権利を取得する意思を有する。また「〜の場合」「〜のとき」という記載があったとしても、その場合やそのときに限られる構成として記載はしているものではない。これらはよりよい構成の例を示しているものであって、これらの場合やときでない構成についても権利取得する意思を有する。また順番を伴った記載になっている箇所もこの順番に限らない。一部の箇所を削除したり、順番を入れ替えたりした構成についても開示しているものであり、権利取得する意思を有する。
【発明の効果】
【００３７】
本発明によれば、表示装置の有する視覚的な効果を高めることができる。
【００３８】
本願の発明の効果はこれに限定されず、本明細書および図面等に開示される構成の部分から奏する効果についても開示されており、当該効果を奏する構成についても分割出願・補正等により権利取得する意思を有する。例えば本明細書において「〜できる」と記載した箇所などは奏する効果を明示する記載であり、また「〜できる」と記載がなくとも効果を示す部分が存在する。またこのような記載がなくとも当該構成よって把握される効果が存在する。
【図面の簡単な説明】
【００３９】
【図１】本発明の一実施形態に係る表示装置の使用状態を説明する図である。
【図２】一実施形態に係る表示装置の外観構成を示す斜視図である。
【図３】一実施形態に係る表示装置の外観構成を示す斜視図である。
【図４】一実施形態に係る表示装置を前方側のやや下方から見たときの表示装置の外観を示す図である。
【図５】一実施形態に係る表示装置の（ａ）正面図および（ｂ）背面図である。
【図６】一実施形態に係る表示装置の（ａ）右側面図および（ｂ）左側面図である。
【図７】一実施形態に係る表示装置の（ａ）平面図および（ｂ）底面図である。
【図８】一実施形態に係る表示装置を幅方向に沿って切断したときの断面図（図５のＶＩＩＩ−ＶＩＩＩ横断面図）である。
【図９】一実施形態に係る表示装置を上下方向に沿って切断したときの断面図（図５のＩＸ−ＩＸ縦断面図）である。
【図１０】一実施形態に係る表示装置の筐体の分解斜視図である。
【図１１】一実施形態に係る表示装置の表示体の上方の内部構成を説明する斜視図である。
【図１２】一実施形態に係る表示装置の表示体の上方の内部構成を説明する平面図である。
【図１３】一実施形態に係る表示装置の後方ケース部を取り外したときの背面図である。
【図１４】一実施形態に係る表示装置からさらに前方ケースを取り外したときの斜視図である。
【図１５】一実施形態に係る表示装置からさらに下方ケース部を取り外したときの斜視図である。
【図１６】一実施形態に係る表示装置からさらに下方ケース部を取り外したときの上面図である。
【図１７】一実施形態に係る表示装置からさらに下方蓋部を取り外したときの底面図である。
【図１８】他の実施形態に係る表示装置の表示体の周辺の構成を示す図である。
【図１９】他の実施形態に係る表示装置の後方ケース部の一部を除外し、やや下方から見た図である。
【図２０】他の実施形態に係る表示装置の内部空間を上方から見た図である。
【図２１】他の実施形態に係る表示装置の試作例を示す写真である。
【図２２】他の実施形態に係る表示装置の内部空間を上方から見た図である。
【図２３】他の実施形態に係る表示装置の内部空間を上方から見た図である。
【図２４】他の実施形態に係る表示装置の台座の周辺の構成を示す図である。
【図２５】他の実施形態に係る表示装置の台座の周辺の構成を示す図である。
【図２６】他の実施形態に係る表示装置の台座の周辺の構成を示す図である。
【図２７】他の実施形態に係る表示装置の内部空間を上方から見た図である。
【図２８】他の実施形態に係る表示装置の背景画像の一例を示す図である。
【図２９】他の実施形態に係る表示装置の台座の一例を示す図である。
【図３０】他の実施形態に係る表示装置の台座の一例を示す図である。
【図３１】他の実施形態に係る表示装置の台座の画像の一例を示す図である。
【図３２】他の実施形態に係る表示装置の台座の画像の一例を示す図である。
【図３３】他の実施形態に係る表示装置の試作例を示す写真である。
【図３４】他の実施形態に係る表示装置の内部空間を上方から見た図である。
【図３５】他の実施形態に係る表示装置の試作例を示す写真である。
【図３６】他の実施形態に係る表示装置の内部空間を上方から見た図である。
【図３７】他の実施形態に係る表示装置の試作例を示す写真である。
【図３８】他の実施形態に係る表示装置の試作例を示す写真である。
【図３９】他の実施形態に係る表示装置の構成を説明する図である。
【図４０】他の実施形態に係る表示装置の内部空間を（ａ）上方および（ｂ）側方から見た図である。
【発明を実施するための形態】
【００４０】
以下、実施形態について、図面を参照しながら詳細に説明する。以下に示す実施形態は本開示の実施形態の一例であって、本開示はこれらの実施形態に限定されるものではない。なお、本実施形態で参照する図面において、同一部分又は同様な機能を有する部分には同一の符号又は類似の符号（数字の後にＡ、Ｂなどを付しただけの符号）を付し、その繰り返しの説明は省略する場合がある。また、以下の説明で参照する各図において、各部材、各領域等を認識可能な大きさとするために、実際とは縮尺を異ならせている場合がある。
【００４１】
［実施形態］
図１は、本実施形態に係る表示装置の使用状態を説明する図である。図１（ａ）は、表示装置１の正面図である。図１（ｂ）は、表示装置１の斜視図である。
【００４２】
＜１．表示装置１の概要＞
表示装置１は、キャラクタのホログラムを映す円筒型クリスタルが中心部にセットしてある容器をコンセプトとした表示装置である。図１（ａ），（ｂ）に示すように、表示装置１は、画像としてキャラクタコンテンツ１０００を表示する。キャラクタコンテンツ１０００は、本実施形態では女性のキャラクタであり、アニメーション表示により様々な動作をする。キャラクタコンテンツ１０００は、ダンスなど体全体を動かす動作をしたり、表情が変化したりしてもよい。また、表示装置１は、音声を出力する機能を有してもよい。表示装置１は、例えば、キャラクタコンテンツ１０００の動作に合わせて、歌唱音声を出力したり、ユーザとの対話に係る音声を出力したりしてもよい。表示装置１は、ＲＰＧ（Ｒｏｌｌ−Ｐｌａｙｎｇ  Ｇａｍｅ）のレアアイテムのような雰囲気を醸し出すＡＩスピーカとして機能してもよい。
【００４３】
次に、表示装置１の構成を具体的に説明する。
【００４４】
＜２．表示装置１の外観構成＞
図２および図３は、表示装置１の外観構成を示す斜視図である。図２は、表示装置１を右上方から見た図である。図３は、表示装置１を左上方から見た図である。図４は、表示装置１を前方側のやや下方から見たときの表示装置１の外観を示す図である。図５は、表示装置１の正面図（図５（ａ））および背面図（図５（ｂ））を示す。表示装置１の正面図は、表示装置１を前方から見た図である。表示装置１の背面図は、表示装置１を後方から見た図である。図６は、表示装置１の右側面図（図６（ａ））および左側面図（図６（ｂ））を示す。表示装置１の右側面図は、表示装置１を右方から見た図である。表示装置１の左側面図は、表示装置１を左方から見た図である。図７は、表示装置１の平面図（図７（ａ））および底面図（図７（ｂ））を示す。表示装置１の平面図は、表示装置１を上方から見た図である。表示装置１の底面図は、表示装置１を下方から見た図である。図８は、表示装置１を幅方向（本実施形態では、左右方向）に沿って切断したときの断面図（図５（ａ）のＶＩＩＩ−ＶＩＩＩ横断面図）である。図９は、表示装置１０を上下方向に沿って切断したときの断面図（図５（ａ）のＩＸ−ＩＸ縦断面図）である。図１０は、筐体１００の分解斜視図である。
【００４５】
表示装置１は、外観が円筒形状である。表示装置１は、ユーザが片手で把持し、持ち運びできる程度の寸法かつ重量である。ユーザは、机上などの平らな面に表示装置１を置いて、これを使用する。表示装置１は、幅方向よりも上下方向に長い。表示装置１の幅方向の長さと、上下方向の長さとの比は、およそ２：１である。例えば、表示装置１の上下方向の長さは２３０ｍｍ、幅方向の長さは１４０ｍｍである。
【００４６】
表示装置１は、筐体１００と、表示体２００と、カバー３００とを含む。筐体１００は、表示体２００を内部に有する。表示体２００は、透光性を有する板状部材である。表示体２００は、表示装置１における前方を向くように配置されている。ユーザは、表示装置１の前方側から、表示体２００に表示された画像を見る。カバー３００は、筐体１００を前方側から覆う。表示体２００は、筐体１００とカバー３００とに囲まれた空間内に配置されている。カバー３００は、前方側から見て表示体２００と重なる。カバー３００は、透明であるから、ユーザによる画像の視認を妨げない。
【００４７】
（２−１．筐体１００）
筐体１００は、外観が円筒形状である。筐体１００は、角部が丸みを帯びている（例えば、Ｒは小さくてよい。）。筐体１００の表面は、つや消し加工で質感を出すように加工されている。このようにすれば、意匠性に優れた円筒形状の表示装置１が提供される。筐体１００の外側の表面の色は問わないが、例えば、高級感またはシンプルさを醸し出す白色または黒色とするとよい。筐体１００は、樹脂材料で形成されるとよいが、金属またはその他の素材で形成されてもよい。
【００４８】
筐体１００は、前方ケース部１０１と、後方ケース部１０２と、上方蓋部１０３と、下方ケース部１０４と、台座１０５と、下方蓋部１０６と、を含む。筐体１００は、前方ケース部１０１と、後方ケース部１０２と、上方蓋部１０３と、下方ケース部１０４、台座１０５と、下方蓋部１０６とが結合されて構成されている。
【００４９】
前方ケース部１０１は、表示装置１の前方側（例えば、前半分）を覆うカバーである。前方ケース部１０１は、幅方向における中心付近が最も前方に突出するように湾曲している。前方ケース部１０１の上端面は、半円弧状である。
【００５０】
前方ケース部１０１は、少なくとも第１方向である前方を向く開口部１０１１を有する。開口部１０１１は、円筒形状の筐体１００の側面に相当する位置に設けられている。開口部１０１１は、筐体１００の内部空間と外部空間とを通じさせる。開口部１０１１は、表示装置１を前方側から見たとき、幅方向よりも上下方向に長い長方形である。開口部１０１１は、下方に開放し、上方、右方および左方には開放していない。
【００５１】
前方ケース部１０１は、開口部１０１１の左方側に傾斜領域１０１２を有し、開口部１０１１の右方側に傾斜領域１０１３を有する。傾斜領域１０１２，１０１３は、開口部１０１１と表示体２００との間の空間に配置される。傾斜領域１０１２，１０１３は、前方側から見て表示体２００を幅方向における両側から挟む第１領域および第２領域である。傾斜領域１０１２，１０１３は、表示体２００側から前方側に向かって、互いに離れる方向に傾斜する。このため、傾斜領域１０１２，１０１３は、表示体２００から前方に向かって左右に広がる形状である。傾斜領域１０１２，１０１３は、表示体２００に近い位置ほど、表示体２００の面方向に対して直交する方向に近く、開口部１０１１側に近い位置ほど、表示体２００の面方向に近くなっている。ただし、傾斜領域１０１２，１０１３は、一定の角度で傾斜していてもよい。
【００５２】
なお、傾斜領域１０１２，１０１３と、表示体２００との間には隙間がないか、またはユーザからはほぼ視認できないことが望ましい。傾斜領域１０１２，１０１３の色または模様は、前方ケース部１０１の他の領域、および後方ケース部１０２部の内周面１０２９（第３領域）とは異なるとよい。例えば、傾斜領域１０１２，１０１３は黒色、前方ケース部１０１の他の領域および内周面１０２９は白色とするなど、コントラスト差を設けるとよい。
【００５３】
前方ケース部１０１は、開口部１０１１と表示体２００との間の空間の上方（第３方向）に、傾斜領域１０１４を有する。傾斜領域１０１４は、筐体１００の内部空間の天井に相当する。傾斜領域１０１４は、傾斜領域１０１２と傾斜領域１０１３との間に存在する第４領域である。傾斜領域１０１４は、表示体２００側から前方側に向かって、上方に傾斜する。傾斜領域１０１４は、前方側から見て、表示体２００から離れる方向である上方に傾斜する。傾斜領域１０１４は、一定の角度で上方に傾斜する。
【００５４】
前方ケース部１０１の前面うち、開口部１０１１よりも上方には、音圧透過領域１０１５が設けられている。音圧透過領域１０１５は、筐体１００の内部に設けられたスピーカ（後述するスピーカユニット５１１）からの音を、外部に出力する領域である。音圧透過領域１０１５は、ここでは、前方ケース部１０１に設けられた開口部である。ただし、音圧透過領域１０１５は、音圧を透過させる領域であればよく、グリルなどの部材が設けられてもよい。
【００５５】
図４に示すように、傾斜領域１０１４のうちの表示体２００の近傍には、透光領域１０１６が設けられている。透光領域１０１６は、傾斜領域１０１４のうち、幅方向における中心に設けられている。図９に示すように、透光領域１０１６は、筐体１００の内部に設けられた発光体（後述する発光体５２１）からの光Ｌを透過させる。光Ｌは、表示体２００に対し、前方側から照射される。
【００５６】
後方ケース部１０２は、表示装置１の後方側（例えば、後ろ半分）を覆うカバーである。後方ケース部１０２は、幅方向における中心付近が最も後方に突出するように湾曲している。後方ケース部１０２の上端面および下端面は半円弧状である。後方ケース部１０２は、上端面に近い位置であって、左右両端側の近傍に、凹部１０２１，１０２２を有する。ユーザは、凹部１０２１，１０２２に指を挿入して、表示装置１０を把持することも可能である。後方ケース部１０２は、凹部１０２１，１０２２のそれぞれにおいて、ネジ９０１，９０２を用いて前方ケース部１０１に対して固定されている。
【００５７】
上方蓋部１０３は、上方からみて円形の平板状の蓋状の部材である。上方蓋部１０３は、前方ケース部１０１および後方ケース部１０２を上方から覆う。
【００５８】
下方ケース部１０４は、表示装置１のうち、表示体２００の下方に位置するカバーである。下方ケース部１０４は、上面を有し、下方に開口する円筒形状である。図１０に示すように、下方ケース部１０４の上面の幅方向における両側には、下方ケース部１０４の内部空間と外部空間とを通じさせる開口部１０４１，１０４２が設けられている。また、下方ケース部１０４の上面には、開口部１０４１，１０４２の間において、幅方向に延びる溝部１０４３が設けられている。台座１０５が、下方ケース部１０４の上面に配置されている。台座１０５は、下方ケース部１０４の上面とほぼ同じ形状で、板状またはシート状の薄い部材である。台座１０５は、溝部１０４３と重なる位置に切れ込み１０５３を有し、かつ開口部１０４１，１０４２に重なる位置は切り欠かれている。以下、台座１０５のうち、表示体２００よりも前方側の領域を、「前方領域１０５１」、後方側の領域を、「後方領域１０５２」ということがある。前方領域１０５１は、溝部１０４３または切れ込み１０５３よりも前方側の領域、後方領域１０５２は、溝部１０４３または切れ込み１０５３よりも後方側の領域といってもよい。下方ケース部１０４の下方の開口部は、下方蓋部１０６によって覆われている。下方蓋部１０６は、円形かつ板状の部材である。下方蓋部１０６は、ネジ９１１，９１２，９１３，９１４を用いて、下方ケース部１０４に対して固定されている。
【００５９】
（２−２．表示体２００）
表示体２００が、筐体１００の内部に配置されている。表示体２００は、入力された信号に応じて画像を表示する表示体である。表示体２００は、透光性を有する表示体で、例えば透明液晶である。表示体２００は、画像を表示しない領域において光を透過させることができるのであれば、液晶素子以外の表示素子を用いた表示体でよい。また、表示体２００は、その全体が透光性を有する必要はなく、少なくとも、ユーザが視認可能な領域の少なくとも一部に透光性を有していればよい。表示体２００は、必ずしも無色透明である必要はない。表示体２００は、表示体２００よりも後方側の空間を、表示体２００よりも前方側から視認できる程度に光を透過させることができればよい。
【００６０】
表示体２００は、多色（カラー）の画像を表示する。表示体２００は、複数の画素（例えば、４００×８００画素）を含み、画素ごとに赤、緑、青の各色成分について、複数階調（例えば、２５６階調）の画像を表示する。表示装置１のユーザは、開口部１０１１およびカバー３００を介して、表示体２００に表示された画像を視認する。このため、開口部１０１１は透光領域ということができる。
【００６１】
表示体２００は、前方側から見て長方形であり、幅方向よりも上下方向に長い。表示体２００は、台座１０５の上面に直交するように、台座１０５に立てられている。これにより、表示体２００は、開口部１０１１と対向する。台座１０５は、溝部１０４３および切れ込み１０５３に挿入された状態で、下方ケース部１０４に配置されている。
【００６２】
なお、表示体２００は、台座１０５の上面に対して傾斜した姿勢でもよい。また、表示体２００は、前後方向における台座１０５の中央に配置されるが、中央よりも前方または後方に配置されてもよい。
【００６３】
表示体２００は透光性を有するので、ユーザは、表示体２００の画像を見るとき、後方領域１０５２や、後方ケース部１０２の内周面１０２９のうち、表示体２００の後方側に位置する領域を同時に視認することができる。表示体２００の後方側に位置する領域は、筐体１００の内周面のうち、表示体２００と対向する領域である。表示体２００は、例えば、リフレッシュレートが６０Ｈｚ、フレームレートが３０Ｈｚとするとよい。
【００６４】
（２−３．カバー３００）
カバー３００が、開口部１０１１に設けられている。カバー３００は、開口部１０１１を塞ぐ透光部材である。このため、カバー３００は、幅方向における中心付近が最も前方に突出するように湾曲している。カバー３００の上端面および下端面は半円弧状である。カバー３００は、例えば無色透明であるが、表示体２００の画像をユーザが視認し得るのであれば、有色であってもよい。カバー３００は、例えばアクリル材を用いて形成されるとよいが、ガラスその他の素材で形成されてもよい。図８に示すように、カバー３００は、上方から見たとき、中心角θが１２０度の扇形の弧の部分に相当する位置にある。ただし、中心角θは１２０度未満であってもよいし、１２０度よりも大きくてもよい（例えば、１８０度）。
【００６５】
（２−４．外部入力）
表示装置１は、電力及び信号の入力を受け付ける機能を有する。本実施形態では、表示装置１は、電源ケーブル４１０と、ＨＤＭＩ（登録商標）ケーブル４２０とが接続されている。下方ケース部１０４には、電源ケーブル４１０を接続する電源端子（後述する電源端子５６１）、およびＨＤＭＩケーブル４２０を接続するコネクタ（後述するコネクタ５６２）が露出するように、開口部が設けられている。表示装置１は、電源ケーブル４１０を介して動作用の電力の入力を受け付け、これを用いて動作する。表示装置１は、ＨＤＭＩケーブル４２０を介して、表示体２００に表示する画像を示す信号、および音声出力用の音声信号の入力を受け付ける。なお、表示装置１は、電池その他の電源に基づいて動作してもよい。また、表示装置１は、ＨＤＭＩ以外の規格（例えば、ＵＳＢ）のケーブルと接続されてもよい。
【００６６】
（２−５．寸法）
表示装置１を前方側から見たとき、前方ケース部１０１のうち、表示体２００の上方に位置する部分の上下方向の長さＨ１は、表示体２００の下方に位置する部分の上下方向の長さＨ２よりも短い。これにより、表示装置１の下方側の重量を上方よりも大きくすることに適しており、表示装置１が倒れにくくなるなど、姿勢の安定感が増し、さらに、見た目の安定感も増す。また、表示体２００の上下方向の長さＨ３は、Ｈ１，Ｈ２よりも長い。例えば、Ｈ１＝４０ｍｍ以下であり、Ｈ２＝６０ｍｍ以下である。表示体２００が７インチ液晶である場合、Ｈ３は、そのアクティブエリアの長さである１５４ｍｍである。また、表示装置１の幅方向における寸法Ｗ１は、１３０ｍｍ以下である。表示体２００が７インチ液晶である場合、そのアクティブエリアの長さである幅方向における長さＷ２は８６ｍｍである。
【００６７】
＜３．表示装置１の内部構成＞
（３−１．表示体２００の上方の内部構成）
次に、表示装置１から上方蓋部１０３を取り外した図を用いて、表示体２００の上方の内部構成を説明する。図１１は、表示装置１の斜視図である。図１２は、表示装置１の平面図である。
【００６８】
後方ケース部１０２は、前方側において、ネジ９２１，９２２を用いて、前方ケース部１０１に対して固定されている。後方ケース部１０２は、上方蓋部１０３の下方において、前後方向および幅方向に広がる平板部１０２５を含む。平板部１０２５は、表示体２００よりも後方側に位置する平坦な部分である。平板部１０２５の上面には、スピーカユニット５１１および基板５１０が配置されている。スピーカユニット５１１は、音声信号に応じて音声を出力するスピーカである。スピーカユニット５１１は、表示装置１がＡＩスピーカとして機能し得るように、高音質のスピーカであることが望ましい。基板５１０は、電子部品が設けられた基板で、スピーカユニット５１１を避けるように配置されている。基板５１０は、ここでは、コンデンサなどの電子部品５１２が実装されている。
【００６９】
第２発光部５２０が、後方ケース部１０２のうちの基板５１０よりも前方側であって、ネジ９２１，９２２に挟まれる位置に配置されている。第２発光部５２０の下面には、発光体５２１が設けられている。発光体５２１は、表示体２００よりも前方側に位置する。発光体５２１は、透光領域１０１６を介して、表示体２００に対し、表示体２００の前方側から光を照射する。発光体５２１は、発光ダイオードであることが望ましいが、有機ＥＬまたはその他の発光体であってもよい。発光体５２１は、例えば、赤、緑、青の三原色の発光体を１組として構成されていてもよい。このようにすれば、赤、緑、青の輝度のバランスの調整により様々な色を表現しうる。発光体５２１は、白色光を発してもよい。なお、基板５１０および第２発光部５２０は、プリント基板（ＰＣＢ：Ｐｒｉｎｔｅｄ  Ｃｉｒｃｕｉｔ  Ｂｏａｒｄ）である。
【００７０】
（３−２．表示体２００の後方側の内部構成）
表示装置１から後方ケース部１０２を取り外した図を用いて、表示体２００の背面側の内部構成を説明する。図１３は、後方ケース部１０２を取り外したときの表示装置１の背面図である。
【００７１】
第１発光部５３０、および第１発光部５４０が、後方ケース部１０２に設けられている。第１発光部５３０は、表示体２００の上下方向に延びる右方側の一辺に沿って設けられている。第１発光部５４０は、表示体２００の上下方向に延びる左方側の一辺に沿って設けられている。第１発光部５３０、および第１発光部５４０は、それぞれ上下方向に長手方向を有する。図８に示すように、第１発光部５３０は、後方ケース部１０２の凹部１０２３に配置されて、後方側に発光する。第１発光部５４０は、後方ケース部１０２の凹部１０２４に配置されて、後方側に発光する。凹部１０２３，１０２４は、表示装置１の後方側に開放している。
【００７２】
第１発光部５３０は、上下方向において互いに所定の間隔を空けて配置された複数の発光体５３１を含む。第１発光部５４０は、上下方向において互いに所定の間隔を空けて配置された複数の発光体５４１を含む。第１発光部５３０，５４０は、第２発光部５２０よりも高い輝度で発光する。このようにすれば、第２発光部５２０の輝度を相対的に低くした場合でも、ユーザに明るい空間内にキャラクタコンテンツ１０００が配置されているような視覚的な効果を与えることができる。複数の発光体５３１、および複数の発光体５４１は、表示装置１の後方側に向かって光を発し、表示体２００と後方ケース部１０２によって囲まれた空間を照らす。複数の発光体５３１、および複数の発光体５４１は、表示体２００に照射される光を発する。発光体５３１，５４１は、表示体２００のバックライトとして機能する。発光体５３１，５４１が、表示体２００の前後の空間に光を照らすことにより、ユーザに明るい空間内にキャラクタコンテンツ１０００が配置されているという視覚的な効果を与えることができる。複数の発光体５３１、および複数の発光体５４１は、例えば白色光を発する。発光体５３１，５４１は、例えば発光ダイオードである。発光体５３１，５４１は、有機ＥＬやその他の発光体でもよい。なお、第１発光部５３０および第１発光部５４０は、プリント基板である。発光体５２１は、赤、緑、青の三原色の発光体を１組として構成されていてもよい。このようにすれば、赤、緑、青の輝度のバランスの調整により様々な色を表現しうる。例えば、発光体５３１の数は６個、発光体５４１の数は６個とするとよい。
【００７３】
図１４は、表示装置１からさらに前方ケース部１０１を取り外したときの表示装置１の斜視図である。中継基板５５０が、表示体２００の上下方向に延びる右方側の一辺に沿って設けられている。中継基板５５０は、第１発光部５３０よりも前方側に設けられている。中継基板５５０は、表示体２００の上下方向におけるほぼ中間地点を上端とし、台座１０５の開口部１０４１よりもさらに下方に下端を有するように、上下方向に長手方向を有する。
【００７４】
中継基板５５０は、電源ケーブル４１０を介して入力された電力、およびＨＤＭＩケーブル４２０を介して入力された信号を、表示体２００に中継する。中継基板５５０は、フレキシブルプリント基板５５１を介して表示体２００と物理的かつ電気的に接続されている。表示体２００は、この電力及び信号に基づいて、画像を表示する。信号は、表示体２００の動作用の信号で、例えば、画像信号および制御信号（例えば、タイミング制御信号、走査線駆動信号、データ線駆動信号）である。中継基板５５０は、さらに図示せぬ配線を介して、スピーカユニット５１１を駆動するための信号を基板５１０に供給したり、発光体５２１を発光させるための電力を、第２発光部５２０、および第１発光部５３０，５４０に供給してもよい。中継基板５５０は、前方ケース部１０１及び後方ケース部１０２が取り付けられたときには、これらによって挟まれた空間に位置し、ユーザからは視認されない。
【００７５】
（３−３．下方ケース部１０４の内部の構成）
次に、下方ケース部１０４の内部構成を説明する。図１５は、表示装置１からさらに下方ケース部１０４を取り外したときの斜視図である。図１６は、表示装置１からさらに下方ケース部１０４を取り外したときの上面図である。図１７は、表示装置１からさらに下方蓋部１０６を取り外したときの底面図である。
【００７６】
下方ケース部１０４の内部には、インタフェース基板５６０とメイン基板５７０とが配置されている。インタフェース基板５６０は、電源ケーブル４１０が接続される電源端子５６１と、ＨＤＭＩケーブル４２０が接続されるコネクタ５６２とが下面に設けられたオプリント基板である。インタフェース基板５６０は、下面側から上方に引き回されたケーブル５６５（ＦＰＣ）を介して、メイン基板５７０に電力及び信号を供給する。
【００７７】
メイン基板５７０は、少なくとも一部がインタフェース基板５６０と重なるように、インタフェース基板５６０の上に配置されたプリント基板である。メイン基板５７０は、ケーブル５７５を介して、中継基板５５０と物理的かつ電気的に接続されている。メイン基板５７０は、表示体２００に画像を表示させる画像表示部として機能する。メイン基板５７０は、映像信号、音声信号、および制御信号（例えば、表示体２００の駆動用の信号）を中継基板５５０に供給する。これにより、スピーカユニット５１１から音が出力されたり、表示体２００の表示が制御されたりする。また、メイン基板５７０は、発光体５３１，５４１を発光させるための電力を、第１発光部５３０および第１発光部５４０にそれぞれ供給する。
【００７８】
以上説明したとおり、前方ケース部１０１の傾斜領域１０１４は、前方に向かって上方に傾斜する。これは、ユーザの上からの目線を考慮したものである。このようにすれば、傾斜領域１０１４がない場合に比べてユーザの目線が前方よりもやや上方側に傾いている場合であっても、ユーザに画像を視認させやすくすることができる。
【００７９】
前方ケース部１０１の傾斜領域１０１２，１０１３は、前方に向かって幅方向両側に広がる形状となっている。このようにすれば、傾斜領域がない場合に比べて、表示体２００と傾斜領域１０１２，１０１３とが相まって、画像の立体感を高めることができることを発明者らは発見した。
【００８０】
傾斜領域１０１２，１０１３の色彩または模様は、前方ケース部１０１及び後方ケース部１０２の内周面の領域と異なる色であるとよい。傾斜領域１０１２，１０１３と、前方ケース部１０１及び後方ケース部１０２の内周面の領域との奥行き感の差異が強調されて、より画像の立体感を高めることができる。物理的な傾斜領域１０１２，１０１３の奥でキャラクタコンテンツ１０００が踊っているような視覚的な効果を与えることができ、立体感がより高まることを発明者らは発見した。このようにして、表示装置１は、視覚的な効果を高めている。
【００８１】
なお、表示装置１は、操作子や各種センサを有してもよい。操作ボタンは、例えば、上方蓋部１０３の上面、下方ケース部１０４の前面、または前方領域１０５１のうちカバー３００の前方の領域に配置されてもよい。メイン基板５７０は、操作部の操作に応じて、カーソルを動かしたり、動作設定などの制御を行ってもよい。操作部は、物理ボタンやタッチセンサ（例えば、静電センサ）でもよい。また、表示装置１は、無線通信を行うためのインタフェースを有してもよい。この場合、表示装置１は、スマートフォンなどの外部端末からの指示を無線通信により受信し、画像の表示を含む各種制御を行ってもよい。
【００８２】
［他の実施形態］
本開示は上記の実施形態に限られたものではなく、趣旨を逸脱しない範囲で適宜変更することが可能である。
【００８３】
（１）傾斜領域１０１２，１０１３に代えて、以下で説明する第２枠体９７０が設けられてもよい。図１８は、一変形例に係る表示装置の表示体２００の周辺の構成を示す図である。図１８（ａ）は表示体２００の周辺の構成を右方側から見た図で、図１８（ｂ）は表示体２００の周辺を前面側から見た図である。
【００８４】
上述した実施形態では、表示体２００は、周縁部のうち上端面、左端面、および右端面の周辺が、前方ケース部１０１および後方ケース部１０２によって挟まれ、下端面の周辺が下方ケース部１０４により支持されていた。すなわち、表示体２００の周囲は、第１枠体によって囲まれている。これにより、図１８（ａ）に示すように、表示体２００は、第１枠体の開口部に相当する開口部９６１に対向する領域が、前方側に露出する。さらに、この第１枠体の前方に第２枠体９７０が設けられる。第２枠体９７０は、第１枠体よりも所定距離Ｄだけ前方に配置され、前方から見て開口部９６１と重なる領域に開口部９７１を有する。また、第２枠体９７０は、前方側から見たときに幅方向の両側から表示体２００を挟むだけでなく、上下方向の両側からも表示体２００を挟む。
【００８５】
図１８（ｂ）に示すように、表示体２００は、幅方向の長さがＷ４であり、上下方向の長さがＨ４である。開口部９６１は、幅方向の長さがＷ５であり、上下方向の長さがＨ５である。開口部９７１は、幅方向の長さがＷ６であり、上下方向の長さがＨ６である。所定距離Ｄは、例えば１〜２ｃｍである。このようにすれば、ユーザにとっては、第２枠体９７０よりも奥側で、キャラクタコンテンツ１０００が動いているように見え、立体感が向上することを、発明者らは確認した。また、第２枠体９７０の前方側で、ユーザが左右に見る人が移動したとき、そのユーザにとっては、第２枠体９７０よりも置く側の表示体２００の見える領域が変化する。よって、そのように左右に動いて見ているユーザを傍から見た他人は、そのユーザが左右に動いてみている人がいるけど何があるのだろう、と興味を抱くという副次的効果（例えば、宣伝効果）が期待できる。
【００８６】
（２）第１発光部
上述した実施形態では、表示体２００を後方側から照らす第１発光部は、第１発光部５３０および第１発光部５４０を用いて実現されていた。これに限られず、種々の変形が可能である。
【００８７】
図１９は、表示装置１の後方ケース部１０２の一部を取り外し、やや下方から見た図である。図１９に示すように、第１発光部６００が、後方ケース部１０２の天井領域１０２６から光を発してもよい。この場合、第１発光部６００は、発光体６１０と板状の導光板６２０とを含み、表示体２００よりも後方側の斜め上方から、表示体２００に向けて光を発する。発光体６１０は、導光板６２０の一端面に光を入射する。導光板６２０は、天井領域１０２６に配置される。導光板６２０は、発光体６１０からの光を拡散して帯状の光を形成し、表示体２００に向けて射出する。
【００８８】
なお、この構成において、台座１０５の上に反射体が設けられてもよい。反射体は前方に向かってこの光を反射するように傾斜領域を有してもよい。反射体は、鏡その他の反射性の部材である。
【００８９】
（２）第２発光部
上述した実施形態では、表示体２００を前方側から照らす第２発光部は、第２発光部５２０を用いて実現されていた。これに限られず、種々の変形が可能である。
【００９０】
図２０は、表示装置１の内部空間を上方から見た図である。図２０に示すように、第２発光部６００Ｂ，６００Ｃは、表示体２００の斜め前方側から光を照射してもよい。この場合、第２発光部６００Ｂ，６００Ｃは、表示体２００の中心に向けて発光するように、第２発光部６００Ｂ，６００Ｃは、第１発光部５３０，５４０と同じ構成でもよい。この場合、第２発光部６００Ｂ，６００Ｃがユーザによって目視されないように、筐体１００の一部が背後に存在することが望ましい。図２１は、この構成での表示装置１の試作例を示す写真である。図２１に示すように、キャラクタコンテンツ１０００の表示を確認できた。
【００９１】
（４）台座１０５の発光
ステージタグのように光る台座１０５を構成してもよい。図２２および図２３は、一変形例に係る表示装置の内部空間を上方から見た図である。図２２（ａ）は、台座１０５のうち、前方領域１０５１に発光領域Ｔ１を設けた構成を示す。図２２（ｂ）は、台座１０５のうち、後方領域１０５２に発光領域Ｔ２を設けた構成を示す。図２３は、台座１０５のうち、前方領域１０５１および後方領域１０５２に発光領域Ｔ３を設けた構成を示す。ここにおいて、発光領域Ｔ１，Ｔ２をそれぞれ、半円弧状の領域としているが一例に過ぎない。また、発光領域Ｔ３を環状としているが一例に過ぎない。発光領域を発光させる仕組みとして、以下の構成を採用してもよい。以下では、図２３に示すように前方領域１０５１および後方領域１０５２に発光領域が存在する場合を例に挙げて説明するが、どちらか一方に存在する場合も同様の構成を採用し得る。
【００９２】
図２４は、台座１０５の周辺の構成を右方向から見た図である。この例では、アクリル板に発光領域に対応する模様（パターン）を描画し、その描画領域を光らせる方法を採用する。台座１０５は、第１面１０５４と、第１面１０５４に対向する第２面１０５５とを有し、第１面１０５４側に表示体２００が配置される。台座１０５は、第１面１０５４と第２面１０５５とを通じさせる透光領域Ｔを含む。透光領域Ｔは、例えば台座１０５に設けられた穴でもよいし、透光性を有する部材が配置された領域でもよい。表示装置１は、第２面１０５５に対向する導光板７２０と、導光板７２０に光を入射する発光体７１０と、を有する。導光板７２０は、例えばアクリル板である。台座１０５は、発光パターンに対応する透光領域Ｔを有する。台座１０５のうち透光領域Ｔ以外の領域は、不透過の素材で形成され、マスク領域として機能する。台座１０５は、模様を彫ったアクリル板の第１面１０５４面にメタル蒸着等を施してミラー面として形成されてもよい。これにより、深みが表現できる。
【００９３】
発光体７１０は、導光板７２０の端面に光を入射する。発光体７１０は、赤、緑、青の三原色の発光体を１組として構成されることが好ましいが、他の色で構成されてもよい。導光板７２０は、発光体７１０からの光を、前方側に導き、帯状の光を形成して台座１０５側に射出する。導光板７２０から射出した光のうち、透光領域Ｔに入射した光は、透光領域Ｔを通って、台座１０５の上方に射出する。台座１０５のうち透光領域Ｔ以外の領域に入射した光は、この領域によって遮られ、台座１０５の上方に射出しない。このようにすれば、発光位置ごとに発光体を設ける必要がなく、より少ない発光体で台座１０５を光らせることができる。この光により演出効果の向上が期待できる。また、表示体２００よりも後方側に、発光体７１０が設けられているので、ユーザは前方からでもその光を視認することができる。ただし、発光体７１０は、表示体２００よりも前方から光を入射してもよい。
【００９４】
別の構成として、図２４に示すように、導光板７２０の下方に、導光板７４０が配置されてもよい。この場合、発光体７１０は、導光板７４０の一端面に光を入射する。導光板７４０は、入射した光を拡散して帯状の光を形成し、導光板７２０側に射出する。
【００９５】
図２５に示すように、台座１０５Ａが、発光領域に凹部７５１（ここでは、半円形状）を有する導光板により形成されてもよい。この場合、発光体７１０は、台座１０５Ａの一端面に光を入射する。台座１０５Ａによって拡散された光は、凹部７５１から上方に光が発せられ、それ以外の領域からは射出しないように、台座１０５Ａの表面は加工されているとよい。
【００９６】
（５）背景例１（内周面１０２９）
図２６に示すように、表示体２００よりも後方に配置され、表示体２００に対向する第１背景部８１０が設けられてもよい。第１背景部８１０は、ここでは、後方ケース部１０２の内周面１０２９を覆うように配置される領域である。第１背景部８１０は、例えば、空や海などの背景を示す画像をあらかじめ形成しておいた媒体である。第１背景部８１０は、例えば、紙、樹脂製などのシート状の媒体である。ただし、第１背景部８１０は、内周面１０２９のうち、背景画像が描画された領域によって特定されてもよい。
【００９７】
第１背景部８１０は、例えば、壁の模様を模した画像、グラデーション、または幾何学模様を示す。例えば、図２８（ａ）に示すように、第１背景部８１０は、下方から上方に向かって、連続的にまたは段階的に白から黒に遷移する画像でもよい。図２８（ｂ）〜（ｄ）に示すように、第１背景部８１０は、幅方向における中央が白く、周辺にいくにしたがって連続的にまたは段階的に黒に遷移する画像でもよい。このようにすれば、表示体２００よりも後方側に、前方側の領域とは色または模様が異なる領域が存在するので、画像の立体感がより向上する。
【００９８】
（６）背景例２（台座１０５）
台座１０５の上面に背景を示す画像が形成されてもよい。台座１０５の上面の画像は、例えば、地面や床などの画像、グラデーション、または幾何学模様である。図２９（ａ）に示すように、台座１０５は、例えば、後方側ほど線間の幅が短くなるように、表示装置１の前後方向に延びる複数の直線の画像が形成されてもよい。図２９（ｂ）に示すように、台座１０５は、例えば、濃淡が異なる２種類の菱形図形を交互に配置した複数の菱形図形を含む、市松模様の画像が形成されてもよい。また、台座１０５は、真白の画像が形成されてもよいし、図３０（ａ），（ｂ）に示すように、中央が白く、外側（ここでは、径方向）に連続的または段階的に黒に遷移する画像が形成されてもよい。台座１０５は、図３０（ｃ），（ｄ）に示すように、前後方向の奥行き感を表現するために、穴を模した画像が形成されてもよい。台座１０５は、図３１（ａ）に示すように、前方側から後方側に向かって、濃度が連続的または段階的に遷移する画像が形成されてもよい。この画像は、例えば黄色またはその他の色である。台座１０５は、図３１（ｂ）に示すように、異なる２色の矩形又は正方形の画像が、前後方向および幅方向に交互に配置された画像が形成されてもよい。図３２（ａ）に示すように、後方側ほど線間の幅が広く、線の幅が太く、かつ、濃度が濃くなるチェック柄の画像とするか、または図３２（ｂ）に示すように、後方側ほど線間の幅が狭く、線の幅が細く、かつ濃度が薄くなるチェック柄の画像とすることにより、特に高い画像の立体感が得られることを発明者らは発見した。
【００９９】
このようにすれば、台座部１０５にキャラクタコンテンツ１０００が立っているような印象を与えるとともに、画像の立体感が増す。台座１０５は、真白の画像でもよいが、中央が白く、周辺にいくに従って黒くなる画像でもよい。台座１０５は、上面に平行に配置されるのではなく、例えば後方側に高くなるように傾斜していてもよい。このように、台座１０５の上面において、表示体２００よりも後方側の領域と、前方側の領域とで、色または模様が異なることで、画像の立体感が増す。
【０１００】
図３３は、この構成での表示装置の試作例を示す写真である。図３３（ａ），（ｂ）に示すように、キャラクタコンテンツ１０００の表示を確認できた。
【０１０１】
なお、台座１０５を交換可能にしてもよい。この場合、台座１０５を筐体１００内に出し入れするための開口部が、筐体１００に設けられてもよい。
【０１０２】
（７）背景例３（内周面１０２９）
図３４に示すように、表示体２００よりも後方に配置され、表示体２００に対向する第１背景部８３０（第３領域）が設けられてもよい。内周面１０２９に沿って導光板８４０が配置されている。導光板８４０の前方側には、第１背景部８３０は、透光性を有するシート状の媒体で、内周面１０２９に沿って配置されている。導光板８４０の一端側に配置した発光体８５０は、導光板８４０の一端面に光を入射する。導光板８４０は、発光体８５０からの光を拡散して、第１背景部８３０を後方側から照らす。第１背景部８３０の画像は特に問わないが、表示体２００の画像よりも淡い色で表現されることが望ましい。また、第１背景部８３０は、カレンダーなどの季節によって変えられるようにすれば、視覚的な面白みが増す。第１背景部８３０は、キャラクタコンテンツ１０００の後方側に位置する部分を白色にしてもよい。これにより、キャラクタが視認しやすくなる。また、第１背景部８３０は、透明液晶などで白色を表示するようにしてもよい。このようにすれば、バックライトしても利用できる。
【０１０３】
図３５は、この構成での表示装置の試作例を示す写真である。キャラクタと背景は相まって立体感が表現されることを確認した。ホログラムのように半透明の画像を表示するのに適している。
【０１０４】
また、傾斜領域１０１４においても，表示体２００に近づくほど暗くなるように模様を付してもよい。
【０１０５】
（８）背景例４（背景の変更）
表示装置１は、台座１０５の色または模様を変更することができるように構成されてもよい。例えば、台座１０５が、液晶ディスプレイ、有機ＥＬまたはその他の表示体により構成されてもよい。表示体は、ドットマトリクスディスプレイが望ましいが、セグメントタイプでもよい。表示装置１は、台座１０５を交換可能に構成されてもよい。この場合、台座１０５を筐体１００内に出し入れするための開口部が、筐体１００に設けられてもよい。この場合に、前方領域１０５１を挿入するための開口部と、後方領域１０５２を挿入するための開口部とが、別々に設けられてもよい。例えば、台座１０５として使用する媒体を引き出せるように、筐体１００の前面または後面に、媒体の挿抜用のスリットを設けておき、このスリットに媒体を挿抜できるようにするとよい。このようにすれば、また、第１背景部８１０が、液晶ディスプレイ、有機ＥＬまたはその他の表示体により構成されてもよい。第１背景部８１０は、通常のドットマトリクスディスプレイとするとよいが、望ましくは曲面ディスプレイとするとよい。表示装置１は、第１背景部８１０を交換可能に構成されてもよい。この場合、第１背景部８１０を筐体１００内に出し入れするための開口部が、筐体１００に設けられてもよい。
【０１０６】
（９）台座１０５上の部材
図３６に示すように、前方から見て表示体２００の下端面に重なる位置に不透過性の部材９００を設けてもよい。部材９００は、ここでは直方体状としているが、立方体その他の多面体、円柱などでもよい。このようにすれば、物理的な部材９００を、キャラクタコンテンツ１０００が立つステージと見立てることができる。よって、ユーザは、ステージ上にキャラクタコンテンツ１０００が立っているような視覚的な効果を得ることができる、
【０１０７】
図３７は、この構成での表示装置の試作例を示す写真である。キャラクタの足が部材９００と接することで、足が着地しているような視覚的な効果を再現できた。
【０１０８】
（１０）図３８に示すように、例えば、表示体２００の前方側のパネルＰ１と、台座１０５と、表示体２００の上方側のパネルＰ２との明るさが異なることにより、キャラクタコンテンツ１０００の立体感が増す効果が期待できる。例えば、表示体２００の後方が明るく、台座１０５が暗いことにより、立体的に見える。表示体２００の後方が暗く、台座１０５が明るい場合でも、立体的に見える。このことからも、表示体２００よりも前方側の領域と、表示体２００よりも後方側の領域とに、色または模様といった表示上の差異が異なるようにすることで、画像の立体感が増すと考えられる。また、表示体２００の後方側を明るく照らすことで、表示装置１の周辺の環境が暗い場合であっても、ユーザは表示体２００の画像を視認することができ、キャラクタの周囲の明るく表示できる。
【０１０９】
（１１）メイン基板５７０は、キャラクタコンテンツの表示に応じて発光体５２１，５３１，５４１の発光を制御してもよい。例えば、キャラクタコンテンツが実際に空間にいるかのような印象を与えるように、メイン基板５７０は発光輝度を調整する。
【０１１０】
（１２）表示装置１に開閉可能な扉が設けられてもよい。図３９は、この変形例の表示装置の構成を示す図である。図３９（ａ）に示すように、後方ケース部１０２に取り外し可能な扉１０２７が設けられてもよい。扉１０２７は、取っ手１０２７Ａを引っ張ることで取り外し可能でもよいが、左右にスライド、また手前に引くことができるドア形式にしてもよい。これにより、筐体１００の内部であって表示体２００の後方側に物を入れることができ、この物と表示体２００の画像とが相まった視覚的効果を表現できる。
【０１１１】
また、表示装置１の前方側に開閉可能な扉が設けられてもよい。例えば、図３９（ｂ）に示すように、カバー３００は、矢印Ａｒで示すように、筐体１００の外側表面に沿ってスライドする扉として機能してもよい。ただし、カバー３００は、手前に引くことができるドア形式にしてもよい。これにより、表示体２００の前方側に物を入れることができ、この物と表示体２００の画像とが相まった視覚的な効果を表現できる。
【０１１２】
（１３）図４０（ａ）に示すように、表示体２００よりも後方側には、前方側よりも後方側に向かって互いの間隔が狭くなるように配置された一対の側壁９１０，９２０が設けられてもよい。図４０（ｂ）に示すように、表示体２００よりも後方側に、前方側よりも後方側ほど台座１０５に近づく方向（つまり、下方）に傾斜する天井領域１０２８が設けられてもよい。このようにすれば、側壁９１０，９２０の後端側の隙間や、天井領域１０２８の後端側が明るく表示されて、画像の立体感が増す。
【０１１３】
（１４）上述した実施形態では、表示体２００が画像を表示していた。表示体２００に代えて透明の板状部材が配置され、この板状部材にプロジェクターが画像を投射してもよい。この場合、表示装置は、板状部材の後方側から、板状部材に画像を投射する画像表示部を有するとよい。
【０１１４】
（１５）表示装置１は、姿勢の変化に応じて画像の向きを変えてもよい。表示装置１は、例えば、加速度センサを有し、鉛直方向における上下方向と画像の天地方向とが一致するように、画像の向きを設定して表示体２００に表示する。例えば、表示装置１が９０度回転させた姿勢であれば、９０度回転した画像に加工して表示する。
【０１１５】
（１６）表示装置は円筒形に限らず、立方体、直方体、その他の多面体、球状その他の形状でもよい。また、上述した表示装置１の各構成要素の形状、構造、寸法、色、模様等は一例に過ぎない。また、上述した表示装置１が備える構成要素の一部が省かれてもよいし、別の構成要素が追加されてもよい。
【０１１６】
（１７）表示装置１は、センサに応じて表示体２００の表示を制御したり、スピーカユニット５１１からの音声出力を制御したりしてもよい。センサは、カメラ、マイク、におい、気圧、ジェスチャを検出するセンサである。メイン基板５７０は、センサの検出結果に基づいて画像の表示を制御してもよい。例えば、メイン基板５７０は、カメラでユーザの表情を認識し、キャラクタの表情を変化させてもよい。また、メイン基板５７０はマイクに入力された音声信号に基づき、キャラクタとユーザとの疑似的な対話が成立するように対話処理を行ってもよい。また、メイン基板５７０は、マイクロ波センサに基づいて、人の存在を検知すると、挨拶その他の音声を出力してもよい。メイン基板５７０は、においセンサに基づいて、ガス臭い、焦げ付き臭い等のにおいを検出すると、それに応じてキャラクタの動作や対話処理を変化させてもよい。メイン基板５７０は、気圧の変化で風を検知してもよい。制御基板は、ジェスチャセンサで検知したユーザの動作に基づいて、キャラクタコンテンツの表示を制御してもよい。メイン基板５７０は、例えば、ユーザが手を払う操作をした方向にキャラクタを移動させたり、回転させたりしてもよい。
【０１１７】
本発明の範囲は，明細書に明示的に説明された構成や限定されるものではなく，本明細書に開示される本発明の様々な側面の組み合わせをも，その範囲に含むものである。本発明のうち，特許を受けようとする構成を，添付の特許請求の範囲に特定したが，現在の処は特許請求の範囲に特定されていない構成であっても，本明細書に開示される構成を，将来的に特許請求の範囲とする意思を有する。
【０１１８】
本発明は上述した実施の形態に記載の構成に限定されない。上述した各実施の形態や変形例の構成要素は任意に選択して組み合わせて構成するとよい。また各実施の形態や変形例の任意の構成要素と，発明を解決するための手段に記載の任意の構成要素または発明を解決するための手段に記載の任意の構成要素を具体化した構成要素とは任意に組み合わせて構成するとよい。これらについても本願の補正または分割出願等において権利取得する意思を有する。また「〜の場合」「〜のとき」という記載があったとしてもその場合やそのときに限られる構成として記載はしているものではない。これらの場合やときでない構成についても開示しているものであり、権利取得する意思を有する。また順番を伴った記載になっている箇所もこの順番に限らない。一部の箇所を削除したり、順番を入れ替えた構成についても開示しているものであり、権利取得する意思を有する。
【０１１９】
また，意匠出願への変更出願により，全体意匠または部分意匠について権利取得する意思を有する。図面は本装置の全体を実線で描画しているが，全体意匠のみならず当該装置の一部の部分に対して請求する部分意匠も包含した図面である。例えば当該装置の一部の部材を部分意匠とすることはもちろんのこと，部材と関係なく当該装置の一部の部分を部分意匠として包含した図面である。当該装置の一部の部分としては，装置の一部の部材としても良いし，その部材の部分としても良い。全体意匠はもちろんのこと，図面の実線部分のうち任意の部分を破線部分とした部分意匠を、権利化する意思を有する。
【符号の説明】
【０１２０】
１…表示装置
１０…表示装置
１００…筐体
１０００…キャラクタコンテンツ 
１０１…前方ケース部
１０１１…開口部
１０１２…傾斜領域
１０１３…傾斜領域
１０１４…傾斜領域
１０１５…音圧透過領域
１０１６…透光領域
１０２…後方ケース部
１０２９…内周面
１０３…上方蓋部
１０４…下方ケース部
１０５…台座
１０５１…前方領域
１０５２…後方領域
１０６…下方蓋部
２００…表示体
３００…カバー
４１０…電源ケーブル
４２０…ＨＤＭＩケーブル
５１０…基板 
５２０…第２発光部
５２１…発光体
５３０…第１発光部
５３１…発光体
５４０…第１発光部
５４１…発光体
５５０…中継基板
５６０…インタフェース基板
５７０…メイン基板
６００…第２発光部
６００…第２発光部
６００Ｂ…第２発光部
６００Ｃ…第２発光部
７１０…発光体
７２０…導光板
７４０…導光板
８１０…第１背景部
８３０…第１背景部
８４０…導光板
８５０…発光体
９００…部材
【図１】
2020118815.tif 000003
【図２】
2020118815.tif 000004
【図３】
2020118815.tif 000005
【図４】
2020118815.tif 000006
【図５】
2020118815.tif 000007
【図６】
2020118815.tif 000008
【図７】
2020118815.tif 000009
【図８】
2020118815.tif 000010
【図９】
2020118815.tif 000011
【図１０】
2020118815.tif 000012
【図１１】
2020118815.tif 000013
【図１２】
2020118815.tif 000014
【図１３】
2020118815.tif 000015
【図１４】
2020118815.tif 000016
【図１５】
2020118815.tif 000017
【図１６】
2020118815.tif 000018
【図１７】
2020118815.tif 000019
【図１８】
2020118815.tif 000020
【図１９】
2020118815.tif 000021
【図２０】
2020118815.tif 000022
【図２１】
2020118815.tif 000023
【図２２】
2020118815.tif 000024
【図２３】
2020118815.tif 000025
【図２４】
2020118815.tif 000026
【図２５】
2020118815.tif 000027
【図２６】
2020118815.tif 000028
【図２７】
2020118815.tif 000029
【図２８】
2020118815.tif 000030
【図２９】
2020118815.tif 000031
【図３０】
2020118815.tif 000032
【図３１】
2020118815.tif 000033
【図３２】
2020118815.tif 000034
【図３３】
2020118815.tif 000035
【図３４】
2020118815.tif 000036
【図３５】
2020118815.tif 000037
【図３６】
2020118815.tif 000038
【図３７】
2020118815.tif 000039
【図３８】
2020118815.tif 000040
【図３９】
2020118815.tif 000041
【図４０】
2020118815.tif 000042